(57)【要約】【課題】大気中へのＮＯX排出量を低減するように機関始動後初めての再生処理を実施する内燃機関の排気浄化装置を提供する。【解決手段】機関始動後初めての再生処理時のＮＯX触媒装置の温度をＮＯX触媒装置から殆どＮＯXが吐き出されないような設定温度以上の可能な限り低温とするために、ＮＯX触媒装置のＮＯX吸蔵量Ａ毎に再生開始温度Ｔ’が設定され（ステップ１０３）、ＮＯX触媒装置の現在の温度Ｔが、ＮＯX触媒装置の現在のＮＯX吸蔵量に対して設定された再生開始温度以上となる時に（ステップ１０４）、機関始動後初めての再生処理を実施する（ステップ１０５）。【選択図】図３
2008121596.tif 000002
【特許請求の範囲】
【請求項１】
排気通路に配置されたＮＯX触媒装置を具備し、機関始動後初めての再生処理時の前記ＮＯX触媒装置の温度を前記ＮＯX触媒装置から殆どＮＯXが吐き出されないような設定温度以上の可能な限り低温とするために、前記ＮＯX触媒装置のＮＯX吸蔵量毎に再生開始温度が設定され、前記ＮＯX触媒装置の現在の温度が、前記ＮＯX触媒装置の現在のＮＯX吸蔵量に対して設定された前記再生開始温度以上となる時に、機関始動後初めての再生処理を実施することを特徴とする内燃機関の排気浄化装置。
【請求項２】
前記再生開始温度は、ＮＯX吸蔵量毎に予めマップ化しておくことを特徴とする請求項１に記載の内燃機関の排気浄化装置。
【請求項３】
前記再生開始温度は、ＮＯX吸蔵量が多いほど高く設定されることを特徴とする請求項１又は２に記載の内燃機関の排気浄化装置。
【請求項４】
再生処理に際して、前記ＮＯX触媒装置の温度が高いほど前記ＮＯX触媒装置のＮＯX浄化速度が高くなり、前記ＮＯX触媒装置のＮＯX吸蔵量が多いほど前記ＮＯX触媒装置の前記ＮＯX浄化速度が低くなると共に前記ＮＯX触媒装置のＮＯX放出速度が高くなることに基づき、前記再生開始温度は、ＮＯX吸蔵量が多いほど高く設定されることを特徴とする請求項３に記載の内燃機関の排気浄化装置。
【請求項５】
前記ＮＯX触媒装置のＮＯX吸蔵量が設定値を超えた時には、ＮＯX吸蔵量が多いほど前記再生開始温度は低く設定されることを特徴とする請求項３又は４に記載の内燃機関の排気浄化装置。
【請求項６】
前記ＮＯX触媒装置のＮＯX吸蔵量が設定値を超えた時には、前記ＮＯX触媒装置の温度が前記設定温度以上であれば、直ちに前記再生処理を開始することを特徴とする請求項３又は４に記載の内燃機関の排気浄化装置。
【発明の詳細な説明】
【技術分野】
【０００１】
本発明は、内燃機関の排気浄化装置に関する。
【背景技術】
【０００２】
リーン空燃比での燃焼を実施する内燃機関が公知であり、このような内燃機関の排気通路には、ＮＯXを浄化するためのＮＯX触媒装置が配置されている。ＮＯX触媒装置は、リーン空燃比の排気ガスからＮＯXを良好に吸蔵することができるが、無制限にＮＯXを吸蔵することはできない。それにより、ＮＯX吸蔵量が飽和する以前に、ＮＯX触媒装置内の排気ガス中の酸素濃度を低下させてＮＯX触媒装置からＮＯXを放出させると共に、放出させたＮＯXを排気ガス中の還元物質により還元浄化するＮＯX触媒装置の再生処理が必要となる。
【０００３】
ＮＯX触媒装置の再生処理は、ＮＯX触媒装置の上流側の排気通路又は気筒内へ追加燃料を供給することによりＮＯX触媒装置へ流入する排気ガスの空燃比をリッチ化することにより実施される。こうして排気ガスと共にＮＯX触媒装置へ流入する追加燃料は、その一部がＮＯX触媒装置に担持された貴金属触媒により排気ガス中の酸素を使用して燃焼させられ、排気ガス中の酸素濃度を低下させ、また、追加燃料の残りがＮＯXを還元する還元物質となる。
【０００４】
このようにして、通常時は、ＮＯX触媒装置のＮＯX吸蔵量が設定量に達した時に再生処理が実施される。ＮＯX吸蔵量を正確に推定するために、ＮＯX触媒装置の下流側にＮＯX濃度センサを配置することが提案されている。（例えば、特許文献１参照）。
【０００５】
ところで、機関始動直後は、ＮＯX触媒装置に担持されているＮＯX触媒が十分に活性化していないために、ＮＯX触媒装置のＮＯX吸蔵能力は低い。また、ＮＯX吸蔵量が増加するほど、このように低いＮＯX吸蔵能力はさらに低下して、ＮＯX触媒装置を単に通過するＮＯXの割合が増加する。それにより、一般的には、ＮＯX触媒装置の貴金属触媒が活性温度となって、追加燃料を燃焼させることができるようになれば、直ちに排気ガスの空燃比をリッチ化して再生処理が実施され、ＮＯX吸蔵量を減少させてＮＯX吸蔵能力を少しでも向上させるようにしている。
【０００６】
【特許文献１】特開平５−１１３１１６
【特許文献２】特開２００４−２５１１３４
【発明の開示】
【発明が解決しようとする課題】
【０００７】
前述のように、機関始動後初めての再生処理を可能な限り早期に実施することにより、ＮＯX吸蔵能力を向上させてＮＯX触媒装置を単に通過するＮＯX量を減少させることはできる。しかしながら、このような再生処理において、多量のＮＯXがＮＯX触媒装置から吐き出されることがあり、大気中へのＮＯX排出量が反って増加することがある。
【０００８】
従って、本発明の目的は、大気中へのＮＯX排出量を低減するように機関始動後初めての再生処理を実施する内燃機関の排気浄化装置を提供することである。
【課題を解決するための手段】
【０００９】
本発明による請求項１に記載の内燃機関の排気浄化装置は、排気通路に配置されたＮＯX触媒装置を具備し、機関始動後初めての再生処理時の前記ＮＯX触媒装置の温度を前記ＮＯX触媒装置から殆どＮＯXが吐き出されないような設定温度以上の可能な限り低温とするために、前記ＮＯX触媒装置のＮＯX吸蔵量毎に再生開始温度が設定され、前記ＮＯX触媒装置の現在の温度が、前記ＮＯX触媒装置の現在のＮＯX吸蔵量に対して設定された前記再生開始温度以上となる時に、機関始動後初めての再生処理を実施することを特徴とする。
【００１０】
また、本発明による請求項２に記載の内燃機関の排気浄化装置は、請求項１に記載の内燃機関の排気浄化装置において、前記再生開始温度は、ＮＯX吸蔵量毎に予めマップ化しておくことを特徴とする。
【００１１】
また、本発明による請求項３に記載の内燃機関の排気浄化装置は、請求項１又は２に記載の内燃機関の排気浄化装置において、前記再生開始温度は、ＮＯX吸蔵量が多いほど高く設定されることを特徴とする。
【００１２】
また、本発明による請求項４に記載の内燃機関の排気浄化装置は、請求項３に記載の内燃機関の排気浄化装置において、再生処理に際して、前記ＮＯX触媒装置の温度が高いほど前記ＮＯX触媒装置のＮＯX浄化速度が高くなり、前記ＮＯX触媒装置のＮＯX吸蔵量が多いほど前記ＮＯX触媒装置の前記ＮＯX浄化速度が低くなると共に前記ＮＯX触媒装置のＮＯX放出速度が高くなることに基づき、前記再生開始温度は、ＮＯX吸蔵量が多いほど高く設定されることを特徴とする。
【００１３】
また、本発明による請求項５に記載の内燃機関の排気浄化装置は、請求項３又は４に記載の内燃機関の排気浄化装置において、前記ＮＯX触媒装置のＮＯX吸蔵量が設定値を超えた時には、ＮＯX吸蔵量が多いほど前記再生開始温度は低く設定されることを特徴とする。
【００１４】
また、本発明による請求項６に記載の内燃機関の排気浄化装置は、請求項３又は４に記載の内燃機関の排気浄化装置において、前記ＮＯX触媒装置のＮＯX吸蔵量が設定値を超えた時には、前記ＮＯX触媒装置の温度が前記設定温度以上であれば、直ちに前記再生処理を開始することを特徴とする。
【発明の効果】
【００１５】
本発明による請求項１に記載の内燃機関の排気浄化装置によれば、機関始動後始めての再生処理時のＮＯX触媒装置の温度をＮＯX触媒装置から殆どＮＯXが吐き出されないような設定温度以上の可能な限り低温とするために、ＮＯX触媒装置のＮＯX吸蔵量毎に再生開始温度が設定され、ＮＯX触媒装置の現在の温度が、ＮＯX触媒装置の現在のＮＯX吸蔵量に対して設定された再生開始温度以上となる時に、機関始動後初めての再生処理を実施するようになっている。それにより、機関始動後初めての再生処理は、ＮＯX触媒装置が設定温度となっても暫くは実施されないことがあり、この間において、ＮＯX触媒装置の低いＮＯX吸蔵能力によってＮＯX触媒装置を単に通過するＮＯXが存在するが、機関始動後初めての再生処理に際して、ＮＯX触媒装置からは殆どＮＯXが吐き出されることはなく、また、再生処理は現在のＮＯX吸蔵量に対して可能な限り低温で早期に開始されるようになっているために、結果的に大気中へのＮＯX排出量を低減することができる。
【００１６】
また、本発明による請求項２に記載の内燃機関の排気浄化装置によれば、請求項１に記載の内燃機関の排気浄化装置において、再生開始温度は、ＮＯX吸蔵量毎に予めマップ化しておくようになっており、請求項１の再生処理を容易に開始することができる。
【００１７】
また、本発明による請求項３に記載の内燃機関の排気浄化装置によれば、請求項１又は２に記載の内燃機関の排気浄化装置において、ＮＯX吸蔵量が多いほど再生処理時にＮＯX触媒装置から単位時間当たりに放出されるＮＯX量が多くなるために、再生処理時にＮＯX触媒装置によって単位時間当たりに還元浄化及び吸蔵されるＮＯX量を多くして、ＮＯX触媒装置から殆どＮＯXが吐き出されないようにするために、再生開始温度は高く設定される。
【００１８】
また、本発明による請求項４に記載の内燃機関の排気浄化装置によれば、請求項３に記載の内燃機関の排気浄化装置において、再生処理に際して、ＮＯX触媒装置の温度が高いほどＮＯX触媒装置のＮＯX浄化速度が高くなり、ＮＯX触媒装置のＮＯX吸蔵量が多いほどＮＯX触媒装置のＮＯX浄化速度が低くなると共にＮＯX触媒装置のＮＯX放出速度が高くなることに基づき、再生開始温度は、ＮＯX吸蔵量が多いほど高く設定されており、機関始動後始めての再生処理は、ＮＯX触媒装置から殆どＮＯXが吐き出されることのないＮＯX触媒装置の可能な限り低い温度で開始される。
【００１９】
また、本発明による請求項５に記載の内燃機関の排気浄化装置によれば、請求項３又は４に記載の内燃機関の排気浄化装置において、ＮＯX触媒装置のＮＯX吸蔵量が設定値を超えた時には、ＮＯX触媒装置のＮＯX吸蔵能力がかなり低く、この時にはＮＯX触媒装置を単に通過するＮＯX量が比較的多くなるために、再生処理に際してＮＯX触媒装置からＮＯXが吐き出される温度でも再生処理を開始した方が、結果的に大気中へ放出されるＮＯX量を低減することができる。さらにＮＯX吸蔵量が多くなると、ＮＯX吸蔵能力がさらに低下して、ＮＯX触媒装置を単に通過するＮＯX量がさらに多くなるために、この時には、再生処理に際してＮＯX触媒装置からＮＯXが比較的多く吐き出される温度でも再生処理を開始した方が、結果的に大気中へ放出されるＮＯX量を低減することができる。それにより、ＮＯX触媒装置のＮＯX吸蔵量が設定量を超えた時には、ＮＯX吸蔵量が多いほど、再生開始温度は低く設定されている。
【００２０】
また、本発明による請求項６に記載の内燃機関の排気浄化装置によれば、請求項３又は４に記載の内燃機関の排気浄化装置において、ＮＯX触媒装置のＮＯX吸蔵量が設定値を超えた時には、ＮＯX触媒装置のＮＯX吸蔵能力がかなり低く、この時にはＮＯX触媒装置を単に通過するＮＯX量が比較的多くなるために、再生処理に際してＮＯX触媒装置からＮＯXが吐き出される温度でも再生処理を開始した方が、結果的に大気中へ放出されるＮＯX量を低減することができる。それにより、ＮＯX触媒装置の温度が設定温度以上であれば、直ちに再生処理を開始するようになっている。
【発明を実施するための最良の形態】
【００２１】
図１は本発明による内燃機関の排気浄化装置を示す概略図である。同図において、１は排気通路である。２は排気通路１に配置されたＮＯX触媒装置である。３はＮＯX触媒装置２の上流側に配置されてＮＯX触媒装置へ流入する排気ガス中のＮＯX濃度を検出する上流側ＮＯX濃度センサであり、４はＮＯX触媒装置の下流側に配置されてＮＯX触媒装置から流出する排気ガス中のＮＯX濃度を検出する下流側ＮＯX濃度センサである。
【００２２】
本排気浄化装置が取り付けられる内燃機関は、ディーゼルエンジン、又は、均質リーン混合気（例えば空燃比２０）を火花着火させるガソリンエンジン、又は、気筒内全体としてはリーン空燃比となる成層混合気を火花着火させるガソリンエンジンである。このような内燃機関の排気ガス中にはＮＯXが含まれるために、排気通路１に配置されたＮＯX触媒装置２によってＮＯXを吸蔵し、ＮＯXの大気放出量を低減している。
【００２３】
前述のガソリンエンジンにおいて、機関始動時には着火性を向上させるために、又は、機関高負荷時には高い機関出力を得るために、理論空燃比又はリッチ空燃比の均質混合気を着火燃焼させる均質燃焼が実施されることがある。この時には、ＮＯXに加えて、ＨＣ及びＣＯも気筒内から排出されるために、これらを浄化するための三元触媒装置（図示せず）をＮＯX触媒装置２の上流側に配置するようにしても良い。
【００２４】
ところで、ＮＯX触媒装置２は、リーン空燃比の排気ガス中のＮＯXを吸蔵することができるが、無限にＮＯXを吸蔵することはできない。それにより、ＮＯX吸蔵量が飽和する以前に、ＮＯX触媒装置２の上流側の排気通路又は気筒内へ追加燃料を供給し、ＮＯX触媒装置２に担持された貴金属触媒によって、追加燃料の一部を排気ガス中の酸素を使用して燃焼させ、酸素濃度を低下させることにより、ＮＯX触媒装置２に吸蔵されたＮＯXを放出させると共に、放出させたＮＯXを追加燃料の残りにより還元浄化する再生処理が必要である。
【００２５】
この再生処理において、放出させたＮＯXを全て還元浄化することはできず、還元浄化することができなかったＮＯXを再びＮＯX触媒装置２へ吸蔵することができれば、ＮＯX触媒装置２からＮＯXが吐き出されることはない。すなわち、再生処理において、ＮＯX触媒装置２から単位時間当たりに放出されるＮＯX量（以下、ＮＯX放出速度と称する）より、ＮＯX触媒装置２において単位時間当たりに還元浄化されるＮＯX量と単位時間当たりに吸蔵されるＮＯX量との和（以下、ＮＯX浄化速度と称する）が大きければ、ＮＯX触媒装置から殆どＮＯXが吐き出されることはない。
【００２６】
ＮＯX触媒装置２のＮＯX吸蔵能力は、図２に示すように、ＮＯX触媒装置２の温度が低くても高くても低下する。機関始動直後は、ＮＯX触媒装置２の温度が低いために、ＮＯX吸蔵能力が低く、比較的多くのＮＯXがＮＯX触媒装置を通過してしまう。また、ＮＯX触媒装置２のＮＯX吸蔵量が増加するほど、さらにＮＯX吸蔵能力は低下し、さらに多量のＮＯXがＮＯX触媒装置を通過してしまう。それにより、これまでは、ＮＯX触媒装置２に担持された貴金属触媒が活性化温度（例えば１９０°Ｃ）となって、追加燃料を燃焼させることができるようになれば、直ちに再生処理を実施して、ＮＯX触媒装置２のＮＯX吸蔵量を減少させ、ＮＯX触媒装置２のＮＯX吸蔵能力を向上させていた。
【００２７】
しかしながら、このように、ＮＯX触媒装置のＮＯX浄化速度及びＮＯX放出速度が全く考慮されずに機関始動後初めての再生処理が実施されると、再生処理時にＮＯX触媒装置２から多量のＮＯXが吐き出され、結果的に大気中へのＮＯX排出量が増大することがある。本実施形態の排気浄化装置は、大気中へのＮＯX排出量を低減するように機関始動後初めての再生処理を実施するようになっている。
【００２８】
図３は、機関始動後初めての再生処理を実施するためのフローチャートである。先ず、ステップ１０１において、ＮＯX触媒装置２に吸蔵されているＮＯX吸蔵量Ａが推定される。このＮＯX吸蔵量の推定は、単位時間毎に上流側ＮＯX濃度センサ３により検出されたＮＯX濃度と単位時間毎に下流側ＮＯX濃度センサ４により検出されたＮＯX濃度との差に基づき算出されるＮＯX触媒装置２に単位時間毎に吸蔵されたＮＯX吸蔵量を機関始動から積算すれば良い。ここで、上流側ＮＯX濃度センサ３を省略して、ＮＯX触媒装置２へ流入する排気ガス中のＮＯX濃度は、機関運転状態に基づき推定するようにしても良い。
【００２９】
次いで、ステップ１０２において、ＮＯX触媒装置２の温度Ｔが、再生処理の実施を可能とする設定温度、すなわち、貴金属触媒の活性温度（例えば１９０°Ｃ）以上であるか否かが判断される。この判断が肯定される時には、再生処理の実施は不可能であり、そのまま終了する。一方、ステップ１０２の判断が肯定される時には、ステップ１０３において、現在のＮＯX吸蔵量に対する再生開始温度Ｔ’が設定される。
【００３０】
図４は、ＮＯX吸蔵量Ａに対するＮＯX浄化速度及びＮＯX放出速度を示すグラフである。同図において、実線はＮＯX放出速度であり、ＮＯX吸蔵量Ａが多くなるほどＮＯX放出速度は高くなる。一方、点線はＮＯX触媒装置２が２００°Ｃの時のＮＯX浄化速度であり、一点鎖線はＮＯX触媒装置２が２３０°Ｃの時のＮＯX浄化速度であり、いずれも、ＮＯX吸蔵量Ａが多くなるほど低くなる。また、ＮＯX浄化速度は、ＮＯX触媒装置２の温度が高くなるほど全体的に高くなる。これに対して、ＮＯX放出速度は、ＮＯX触媒装置２の温度に対して殆ど変化しない。
【００３１】
図４に示すように、ＮＯX吸蔵量ＡがＡ１の時の再生開始温度Ｔ’を２００°Ｃとし、ＮＯX吸蔵量ＡがＡ２の時の再生開始温度Ｔ’を２３０°Ｃとすれば、いずれにおいても、ＮＯX排出速度とＮＯX浄化速度とが等しくなり、再生処理においてＮＯX触媒装置２から殆どＮＯXが吐き出されることはない。このように、再生開始温度Ｔ’は、ＮＯX触媒装置２から殆どＮＯXが吐き出されない可能な限り低温に設定される。再生開始温度Ｔ’は、ＮＯX吸蔵量Ａ毎にマップ化しておくことが好ましく、図５の実線はマップ化の例を示している。
【００３２】
次いで、ステップ１０４では、現在のＮＯX触媒装置２の温度Ｔが再生開始温度Ｔ’以上であるか否かが判断され、この判断が否定される時には終了して、これまでのステップが繰り返され、ステップ１０４の判断が肯定されると、ステップ１０５において、機関始動後初めての再生処理が実施される。
【００３３】
このような再生処理の実施を図５において説明すると、ＮＯX触媒装置２の温度Ｔが１９０°Ｃ（設定温度）の時のＮＯX吸蔵量が３００ｍｇより多いａ，ｂ，ｃ，ｄである時には、それぞれに対する再生開始温度は１９０°Ｃより高くなるために、この時には再生処理は実施されない。その後、ＮＯX触媒装置２の温度は上昇すると共にＮＯX吸蔵量も増加するが、機関始動後のＮＯX吸蔵能力が低い時であるために、ＮＯX吸蔵量の増加は緩やかであり、ＮＯX吸蔵量がそれぞれａ’，ｂ’，ｃ’，ｄ’に増加した時のＮＯX触媒装置２の温度は、それぞれの再生開始温度となって再生処理が実施される。
【００３４】
このような再生処理において、ＮＯX触媒装置２が設定温度の時のＮＯX吸蔵量がそれほど多くないａ及びｂであった時には、ＮＯX吸蔵量Ａが設定値（７００ｍｇ）に増加する以前に再生処理が実施され、この場合には、再生処理において、ＮＯX触媒装置２から殆どＮＯXが吐き出されることはない。それにより、ＮＯX触媒装置２が設定温度からそれぞれの再生開始温度まで昇温するまでの間は、ＮＯX触媒装置２の低いＮＯX吸蔵能力によってＮＯX触媒装置を通過するＮＯXが存在するが、再生処理時のＮＯXの吐き出しがなく、また、ＮＯXの吐き出しのない可能な限り低温で可能な限り早期に再生処理が実施されるために、設定温度で再生処理を実施して多量のＮＯXを吐き出す場合に比較して、結果的に大気中へのＮＯX放出量を低減することができる。
【００３５】
また、ＮＯX触媒装置２が設定温度の時のＮＯX吸蔵量が設定値より少ないが設定値近くのｃであった時には、ＮＯX吸蔵量が設定値に増加した時に、ＮＯX触媒装置２の温度Ｔが設定値に対する再生開始温度（２３０°Ｃ）に達しないことがある。ＮＯX吸蔵量が設定値（７００ｍｇ）に達すると、ＮＯX触媒装置２のＮＯX吸蔵能力はかなり低くなるために、ＮＯX触媒装置２を通過するＮＯX量が比較的多くなり、再生処理に際してＮＯX触媒装置からＮＯXが吐き出される温度、すなわち、ＮＯX放出速度がＮＯX浄化速度より高いＮＯX触媒装置の温度でも再生処理を開始した方が、結果的に大気中へ放出されるＮＯX量を低減することができる。
【００３６】
それにより、ＮＯX吸蔵量が設定値を超える時の再生開始温度Ｔ’は、図５に示すように、設定値の再生開始温度（２３０°Ｃ）から設定温度(１９０°Ｃ）までＮＯX吸蔵量が多くなるほど徐々に低くされる。こうして、ＮＯX吸蔵量が設定値近くである時には、設定値の再生開始温度近くの比較的高い温度を再生開始温度として、再生処理時のＮＯXの吐き出し量を少なくし、また、ＮＯX吸蔵量が設定値を大幅に超えている時には、ＮＯX吸蔵能力がさらに低下して、ＮＯX触媒装置を単に通過するＮＯX量がさらに多くなるために、再生開始温度は、再生処理の実施を可能とする設定温度近くとされ、比較的早期に再生処理が実施されるようにしている。
【００３７】
それにより、ＮＯX触媒装置２が設定温度の時のＮＯX吸蔵量が設定値より多いｄであった時には、ＮＯX吸蔵量がｄ’に増加した時の比較的低いＮＯX触媒装置の温度において比較的に早期に再生処理が実施されることとなる。このように再生開始温度Ｔ’は、ＮＯX吸蔵量Ａが設定値となるまでは、ＮＯX吸蔵量Ａが多いほど高く設定され、設定値を超える時には、ＮＯX吸蔵量Ａが多いほど低く設定するようにされる。
【００３８】
また、図５に点線で示すように、再生開始温度Ｔ’は、ＮＯX吸蔵量Ａが設定値となるまでは、ＮＯX吸蔵量Ａが多いほど高く設定され、ＮＯX吸蔵量Ａが設定値を超える時には、設定温度とするようにしても良い。それにより、ＮＯX吸蔵量が設定値（７００ｍｇ）を超えてＮＯX触媒装置２のＮＯX吸蔵能力がかなり低くなった時には、直ちに再生処理が実施される。
【００３９】
こうして、ＮＯX触媒装置２が設定温度である時のＮＯX吸蔵量が設定値より少ないが設定値近くｃである時には、ＮＯX吸蔵量Ａが設定値に増加するまでに、ＮＯX触媒装置２の温度Ｔが設定値の再生開始温度に達しなければ、ＮＯX吸蔵量が設定値を越えた時に再生処理を直ちに実施し、ＮＯX触媒装置２を通過するＮＯX量を減少させる。また、ＮＯX触媒装置２が設定温度である時のＮＯX吸蔵量が設定値より多いｄである時には、直ちに再生処理を実施してＮＯX触媒装置２を通過するＮＯX量を減少させる。
【００４０】
ところで、機関始動から最初に再生処理が実施されるまでのＮＯX触媒装置２の温度が比較的低い間においては、ＮＯX触媒装置２の温度が高いほどＮＯX吸蔵能力が高くなり、また、ＮＯX吸蔵量が多くなるほどＮＯX吸蔵能力が低くなることが判っているために、ＮＯX触媒装置２へ流入する排気ガス中のＮＯX濃度を推定又は検出すれば、ＮＯX触媒装置２の温度Ｔと現在のＮＯX吸蔵量Ａとに基づき、ＮＯX触媒装置２の下流側ＮＯX濃度センサ４を省略しても新たなＮＯX吸蔵量を推定することも可能である。
【００４１】
ＮＯX触媒装置２の温度Ｔは、温度センサ（図示せず）によって測定されても、機関運転状態に基づき推定されるＮＯX触媒装置２へ流入する排気ガス温度に基づき推定するようにしても良い。これまでの説明に使用した数値は、発明の理解を容易にするための例示であり、もちろん、ＮＯX吸蔵触媒装置毎に異なる値とすることができる。
【図面の簡単な説明】
【００４２】
【図１】本発明による内燃機関の排気浄化装置を示す概略図である。
【図２】ＮＯX触媒装置の温度に対するＮＯX吸蔵能力を示すグラフである。
【図３】本発明による内燃機関の排気浄化装置において機関始動後初めての再生処理を実施するためのフローチャートである。
【図４】ＮＯX触媒装置のＮＯX吸蔵量に対するＮＯX浄化速度及びＮＯX放出速度のグラフである。
【図５】ＮＯX吸蔵量Ａに対する再生開始温度Ｔのマップである。
【符号の説明】
【００４３】
１    排気通路
２    ＮＯX触媒装置
３    上流側ＮＯX濃度センサ
４    下流側ＮＯX濃度センサ
【図１】
2008121596.tif 000003
【図２】
2008121596.tif 000004
【図３】
2008121596.tif 000005
【図４】
2008121596.tif 000006
【図５】
2008121596.tif 000007